(57)【要約】【課題】低級炭化水素冷媒と鉱物油を主成分とする冷凍機油を用いた場合に、作動流体内に発生するオリゴマーを抑制する。【解決手段】炭素数１〜５の炭化水素を含む冷媒と冷凍機油を含む作動流体が、冷凍機システム内部で有機高分子材料と接触する冷凍機システムに用いられる冷凍機油であって、鉱油８５〜９９重量％と、分子内に２個以上の酸素原子を含む有機化合物からなる合成油１〜１５重量％とを含むものである。酸素原子を含む有機化合物がエステル結合及び／又はエーテル結合を有すること、酸素原子を含む有機化合物がネオペンチルポリオールと炭素数４〜１２の１価脂肪酸とのポリオールエステルであること、冷媒がプロパン及び／又はイソブタンであること、有機高分子材料がポリエチレンテレフタレート及び／又はポリブチレンテレフタレートであることが好ましい。【選択図】なし【特許請求の範囲】
【請求項１】
炭素数１〜５の炭化水素を含む冷媒と冷凍機油を含む作動流体が、冷凍機システム内部で有機高分子材料と接触する冷凍機システムに用いられる冷凍機油であって、
鉱油８５〜９９重量％と、分子内に２個以上の酸素原子を含む有機化合物からなる合成油１〜１５重量％とを含む炭化水素冷媒用冷凍機油。
【請求項２】
請求項１記載の酸素原子を含む有機化合物がエステル結合及び／又はエーテル結合を有する請求項１記載の炭化水素冷媒用冷凍機油。
【請求項３】
請求項１記載の酸素原子を含む有機化合物が、ネオペンチルポリオールと炭素数４〜１２の１価脂肪酸とのポリオールエステルである請求項１に記載の炭化水素冷媒用冷凍機油。
【請求項４】
請求項１記載の冷媒がプロパン及び／又はイソブタンである請求項１に記載の炭化水素冷媒用冷凍機油。
【請求項５】
請求項１記載の有機高分子材料がポリエチレンテレフタレート及び／又はポリブチレンテレフタレートである請求項１に記載の炭化水素冷媒用冷凍機油。
【請求項６】
炭素数１〜５の炭化水素を含む冷媒と冷凍機油を含む作動流体が、冷凍機システム内部で有機高分子材料と接触する冷凍機システムであって、
前記冷凍機油が、鉱油８５〜９９重量％と、分子内に２個以上の酸素原子を含む有機化合物からなる合成油１〜１５重量％とを含むことを特徴とする冷凍機システム。
【請求項７】
請求項６記載の酸素原子を含む有機化合物がエステル結合及び／又はエーテル結合を有する請求項６記載の冷凍機システム。
【請求項８】
請求項６記載の酸素原子を含む有機化合物が、ネオペンチルポリオールと炭素数４〜１２の１価脂肪酸とのポリオールエステルである請求項６に記載の冷凍機システム。
【請求項９】
請求項６記載の冷媒がプロパン及び／又はイソブタンである請求項６に記載の冷凍機システム。
【請求項１０】
請求項６記載の有機高分子材料がポリエチレンテレフタレート及び／又はポリブチレンテレフタレートである請求項６に記載の冷凍機システム。
【発明の詳細な説明】
【技術分野】
【０００１】
本発明は、オゾン層を破壊するおそれがなく、かつ、地球温暖化能もハロゲン含有炭化水素冷媒よりも遥かに低い炭化水素冷媒、特にはプロパン又はイソブタンを用いる冷凍機用の潤滑油、及びそれを用いた冷凍機システムに関する。
【背景技術】
【０００２】
冷凍機システムは、一般に、圧縮機で冷媒を圧縮し、高圧・高温となった冷媒を凝縮器で熱を発散し、その後、膨張機構（例えば、膨張弁）で低圧とし、蒸発器において冷媒が蒸発する際に周囲から蒸発熱を奪うことで低温となり冷却を行うものである。この冷凍機システムは、冷蔵庫、冷凍庫、空調、ショーケース、清涼飲料やアイスクリームなどの自動販売機等に用いられている。なお、空調や自動販売機などでは凝縮の際に生じる熱を利用して暖房することや、飲料や食品を加熱保持することにも利用されている。
【０００３】
従来、前記冷媒としてはトリクロロフルオロメタン（Ｒ１１）、ジクロロジフルオロメタン（Ｒ１２）、クロロジフルオロメタン（Ｒ２２）などの塩素を含有するフッ化炭化水素（ＣＦＣ又はＨＣＦＣ）が用いられてきた。しかし、これらのＣＦＣ及びＨＣＦＣはオゾン層を破壊する環境問題を引き起こすことから、国際的にその生産及び使用が規制され、現在では、塩素を含有しない、例えば、ジフルオロメタン（Ｒ３２）、テトラフルオロエタン（Ｒ１３４又はＲ１３４ａ）、ジフルオロエタン（Ｒ１５２又はＲ１５２ａ）などの非塩素系フッ化炭化水素（ＨＦＣ）、いわゆる代替フロンに変換されてきている。
【０００４】
しかし、これらの代替フロンは、オゾン層を破壊しないものの、地球温暖化能が高いために地球環境保護の長期的な観点からは好ましいものではなく、一方、炭素数１〜５程度の低分子量の低級炭化水素やアンモニア等はオゾン層を破壊することなく、地球温暖化能も前記の塩素系あるいは非塩素系フッ化炭化水素に比べて非常に低いことから、環境にやさしい冷媒として注目されてきている（特許文献１、２）。
【０００５】
冷凍機システムでは、圧縮機での潤滑のために冷媒といわゆる冷凍機油を混合した作動流体が系内を循環している。このような作動流体に用いられる冷凍機油は、冷媒との相溶性や潤滑性能が求められ、例えば、低級炭化水素冷媒に適した冷凍機油として、本発明者は特定性状の鉱物油を用いることを提案している（特許文献３）。
【０００６】
【特許文献１】特開２００３−０４１２７８号公報
【特許文献２】特開２００５−１６２８８３号公報
【特許文献３】国際公開ＷＯ２０００／６００３１号公報
【発明の開示】
【発明が解決しようとする課題】
【０００７】
ところが、作動流体として、低級炭化水素冷媒と鉱物油を主成分とする冷凍機油を用いた場合に、作動流体内に有機物からなるオリゴマー（高分子物質）が発生することを見出した。このようなオリゴマーは、膨張弁のキャピラリーを詰まらせたり、圧縮機の弁に付着して開閉不良となることなどが憂慮される。
【０００８】
本発明は上記の課題を解決するためになされたものであり、本発明の目的は、低級炭化水素冷媒と鉱物油を主成分とする冷凍機油を用いた場合に、作動流体内に発生するオリゴマーを抑制することにある。本発明者らは、冷凍機油に特定の有機化合物を所定量含有させることで、オリゴマーを抑制できることを見いだし、本発明を完成するに至った。
【課題を解決するための手段】
【０００９】
本発明による炭化水素冷媒用冷凍機油は、炭素数１〜５の炭化水素を含む冷媒と冷凍機油を含む作動流体が、冷凍機システム内部で有機高分子材料と接触する冷凍機システムに用いられる冷凍機油であって、鉱油８５〜９９重量％と、分子内に２個以上の酸素原子を含む有機化合物からなる合成油１〜１５重量％とを含むものである。また、本発明による冷凍機システムは、炭素数１〜５の炭化水素を含む冷媒と冷凍機油を含む作動流体が、冷凍機システム内部で有機高分子材料と接触する冷凍機システムであって、前記冷凍機油が、鉱油８５〜９９重量％と、分子内に２個以上の酸素原子を含む有機化合物からなる合成油１〜１５重量％とを含むことを特徴とする。本発明の炭化水素冷媒用冷凍機油及び冷凍機システムにおいては、酸素原子を含む有機化合物がエステル結合及び／又はエーテル結合を有すること、酸素原子を含む有機化合物がネオペンチルポリオールと炭素数４〜１２の１価脂肪酸とのポリオールエステルであること、冷媒がプロパン及び／又はイソブタンであること、または、有機高分子材料がポリエチレンテレフタレート及び／又はポリブチレンテレフタレートであることが好ましい。
【発明の効果】
【００１０】
本発明の炭化水素冷媒用冷凍機油は、鉱油に特定の有機化合物を所定量含有させることでオリゴマーの発生を抑制できるため、オリゴマーによるキャピラリーの詰まりや、弁の開閉不良の発生を効果的に防止できるという格別の効果を有する。また、本発明の冷凍機システムは、かかる冷凍機油が用いられており、オリゴマーの発生が抑制されているため、オリゴマーによるキャピラリーの詰まりや、弁の開閉不良の発生が効果的に防止されている。
【発明を実施するための最良の形態】
【００１１】
〔冷凍機油〕
本発明の冷凍機油は、鉱油８５〜９９重量％、好ましくは８８〜９７重量％と、分子内に２個以上の酸素原子を含む有機化合物からなる合成油１〜１５重量％、好ましくは３〜１２重量％とを含むものである。分子内に２個以上の酸素原子を含む有機化合物からなる合成油の含有量が１重量％未満又は１５重量％を超えると（即ち、鉱油の含有量が９９重量％を超えたり８５重量％未満では）、オリゴマーの発生を十分に抑制することができない。
【００１２】
本発明の冷凍機油は、４０℃における動粘度が３〜１５０mm2／s、特には、５〜１００mm2／sのものが好ましく、さらに流動点が−２５℃以下のものが好ましい。流動点が−２５℃より高いと、圧縮機から冷媒とともに吐出された潤滑剤が膨張機構又は蒸発器などで流動性が低下し、冷凍設備の低温部位に滞留して伝熱効率の低下を招いたり、圧縮機内の潤滑剤不足による軸受の摩耗、焼付きなどを引き起こす恐れがあり、あまり好ましくない。なお、通常、流動点は−６０℃以上である。また、さらに、粘度指数が２０以上、特には５０以上、さらには８０以上のものが好ましく、通常、粘度指数は１２０以下である。冷凍サイクルにおいて、潤滑剤は圧縮機吐出部で高温になり、膨張機構の出口で低温に曝されて比較的広い温度範囲で使用される。したがって、温度による粘度変化が少ない粘度指数の高い潤滑剤、すなわち粘度指数の高い鉱物油が望まれる。一般に長鎖の鎖状炭化水素が多く含まれる潤滑剤は粘度指数が高く、潤滑性能も高くなる傾向にある。
【００１３】
〔鉱油〕
鉱油としては、ｎ-ｄ-Ｍ環分析による％ＣＡが１５以下、窒素分が５０ppm以下、硫黄分が２,０００ppm以下の性状を有する鉱油を用いることが好ましい。％ＣＡの値は粘度指数に大きく影響し、これが大きくなると粘度指数が低くなり、％ＣＡが１５を超える鉱油では冷凍機油としてあまり好ましくない。また、％ＣＰが４０以上、特には５０以上の鉱油は潤滑性が高く、潤滑性の乏しい炭化水素冷媒によって希釈されても充分な潤滑性を保持することができ、軸受の磨耗や焼付きなどが起こりにくくなるので、％ＣＰが４０以上の鉱油を用いることが好ましく、％ＣＰが５０以上の鉱油を用いることが更に好ましい。これらの％ＣＡ及び％ＣＰは、ＡＳＴＭ Ｄ３２３８に規定されるｎ-ｄ-Ｍ環分析によって求められるものである。
【００１４】
また、鉱油に含まれる窒素分や硫黄分は潤滑油の特性に悪い影響を及ぼすことがある。窒素分は５０ppmを超えると安定性を悪くする傾向にあり、５０ppm以下とすることが好ましい。また、硫黄分は腐食性を有するので、２,０００ppm以下にすることが好ましい。なお、窒素分や硫黄分は、質量ppmで規定する。
【００１５】
このような鉱油は、原油を常圧蒸留及び減圧蒸留して得られた潤滑油留分に対して、溶剤脱れき、溶剤抽出、水素化分解、水素化脱ろう、溶剤脱ろう、水素化精製、硫酸洗浄、白土処理の１種もしくは２種以上の精製手段を適宜組み合わせて得ることができる。
【００１６】
〔合成油〕
合成油は、分子内に２個以上の酸素原子を含む有機化合物からなるもので、特には、エステル結合及び／又はエーテル結合を有する化合物からなることが好ましい。具体的には、ポリオールエステル、ジエステルおよびポリエーテルの一種をまたは二種以上を混合して用いることができるが、ポリオールエステルを用いることが好ましい。
【００１７】
〔ポリオールエステル〕
ポリオールエステルとしては、ジオールあるいは水酸基を３〜２０個有するポリオールと、炭素数６〜２０の脂肪酸とのエステルが好ましく用いられる。ここで、ジオールとしては、具体的には、エチレングリコール、１，３−プロパンジオール、プロピレングリコール、１，４−ブタンジオール、１，２−ブタンジオール、２−メチル−１，３−プロパンジオール、１，５−ペンタンジオール、ネオペンチルグリコール、１，６−ヘキサンジオール、２−エチル−２−メチル−１，３−プロパンジオール、１，７−ヘプタンジオール、２−メチル−２−プロピル−１，３−プロパンジオール、２，２−ジエチル−１，３−プロパンジオール、１，８−オクタンジオール、１，９−ノナンジオール、１，１０−デカンジオール、１，１１−ウンデカンジオール、１，１２−ドデカンジオール等が挙げられる。
【００１８】
また、水酸基を３〜２０個有するポリオールとしては、具体的には、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）、グリセリン、ポリグリセリン（グリセリンの２〜２０量体）、１，３，５−ペンタントリオール、ソルビトール、ソルビタン、ソルビトールグリセリン縮合物、アドニトール、アラビトール、キシリトール、マンニトール等の多価アルコール、キシロース、アラビノース、リボース、ラムノース、グルコース、フルクトース、ガラクトース、マンノース、ソルボース、セロビオース、マルトース、イソマルトース、トレハロース、シュクロース、ラフィノース、ゲンチアノース、メレジトース等の糖類及びこれらの部分エーテル化物、並びにメチルグルコシド（配糖体）が挙げられる。
【００１９】
これらの中でもジオール及びポリオールとしては、ネオペンチルグリコール、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）等のヒンダードアルコールが好ましい。
【００２０】
ポリオールエステルに用いられる脂肪酸において、その炭素数は特に制限されないが、通常、炭素数１〜２４のものが用いられる。炭素数１〜２４の脂肪酸の中でも、潤滑性の点から、炭素数３以上のものが好ましく、炭素数４以上のものがより好ましく、炭素数５以上のものが更に好ましく、炭素数１０以上のものが特に好ましい。また、冷媒との相溶性の点から、炭素数１８以下のものが好ましく、炭素数１２以下のものがより好ましく、炭素数１０以下のものが更に好ましく、炭素数９以下のものが特に好ましい。
【００２１】
また、かかる脂肪酸は、直鎖状脂肪酸、分枝状脂肪酸のいずれであってもよいが、潤滑性の点からは直鎖状脂肪酸が好ましく、加水分解安定性の点からは分枝状脂肪酸が好ましい。脂肪酸としては、具体的には、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、イコサン酸、オレイン酸等が挙げられ、これらの脂肪酸は、直鎖状脂肪酸、分枝状脂肪酸のいずれであってもよく、更にはα炭素原子が４級炭素原子である脂肪酸（ネオ酸）であってもよい。これらの中でも、吉草酸（ｎ−ペンタン酸）、カプロン酸（ｎ−ヘキサン酸）、エナント酸（ｎ−ヘプタン酸）、カプリル酸（ｎ−オクタン酸）、ペラルゴン酸（ｎ−ノナン酸）、カプリン酸（ｎ−デカン酸）、オレイン酸（ｃｉｓ−９−オクタデセン酸）、イソペンタン酸（３−メチルブタン酸）、２−メチルヘキサン酸、２−エチルペンタン酸、２−エチルヘキサン酸及び３，５，５−トリメチルヘキサン酸が好ましく用いられる。
【００２２】
上述したポリオールエステルの中でも、本発明の冷凍機油には、ネオペンチルポリオールと炭素数４〜１２の１価脂肪酸とのエステルが特に好ましく用いられる。ここで、ネオペンチル構造を持つ多価アルコールであるネオペンチルポリオールとしては、ネオペンチルグリコール、トリメチロールプロパン、ペンタエリスリトールが好ましく用いられ、特には、２種以上のネオペンチルポリオールを混合して用いることが好ましい。また、１価脂肪酸としては、特には、炭素数５〜１０の脂肪酸、また、分岐脂肪酸が好ましく用いられる。
【００２３】
なお、本発明にかかるポリオールエステルは、２個以上のエステル基を有する限りにおいて、ポリオールが有する水酸基のうちの一部がエステル化されずに残っている部分エステルであってもよく、全ての水酸基がエステル化された完全エステルであってもよく、更には部分エステルと完全エステルの混合物であってもよいが、完全エステルであることが好ましい。カルボキシル基の残存量が多いと、冷凍機内部に使用されている金属との反応により金属石けんなどを生成し、沈殿するなどの好ましくない現象も起こるため、酸価が３mgKOH/g以下のものが好ましく、０.１mgKOH/g以下のものがより好ましい。また、水酸基の残存量が多いと、エステルが低温において白濁し、冷凍サイクルのキャピラリー装置を閉塞させる等、好ましくない現象が起こるため、水酸基価は５０mgKOH/g以下とすることが好ましく、１０mgKOH/g以下のものがより好ましい。
【００２４】
〔ジエステル〕
ジエステルとしては、炭素数４〜１４の多塩基酸と、炭素数５〜１８のアルコールとのエステルが好ましく用いられる。ここで、多塩基酸としては、具体的には、アジピン酸、アゼライン酸、セバシン酸、ウンデカン二酸、ドデカン二酸等が挙げられ、アジピン酸、アゼライン酸、セバシン酸が好ましい。
【００２５】
また、アルコールとしては、具体的には、２−エチルヘキサノール、３，５，５−トリメチルヘキサノール、デシルアルコール、ラウリルアルコール、オレイルアルコール等が挙げられ、１価アルコールが、また、炭素数が６〜１２、特には８〜１０の炭化水素基に分岐を有するものが好ましい。具体的には、２−エチルヘキサノール、３，５，５−トリメチルヘキサノールが好ましい。
【００２６】
〔ポリエーテル〕
ポリエーテルは、複数のエーテル結合を有する有機化合物であり、代表的には次の化１または化２で表されるアルキルエーテル、または化３で表される構成単位を有するポリビニールエーテルが挙げられる。
【００２７】
【化１】
2007254713.tif 000002
【００２８】
【化２】
2007254713.tif 000003
【００２９】
【化３】
2007254713.tif 000004
【００３０】
式中、Ｒ１〜Ｒ５はそれぞれ水素あるいは炭素数１〜８のアルキル基を示し、Ａ１〜Ａ３はそれぞれ一種または二種以上の炭素数２〜４のアルキレンオキシド単位５〜３００個から構成された重合鎖を示す。
【００３１】
Ｒ１〜Ｒ５は、好ましくは、それぞれ水素、メチル基、ｉｓｏ−プロピル基、ｉｓｏ−ブチル基、または、ｔｅｒｔ−ブチル基であり、特にはすべてがメチル基であるものが好ましい。Ａ１〜Ａ３に関し、アルキレンオキシド単位としては、エチレンオキシド単位またはプロピレンオキシド単位が好ましく、重合鎖は、ブロック共重合鎖、ランダム共重合鎖または交互共重合鎖でもよい。重合鎖のアルキレンオキシド単位の個数は、ポリエーテルの粘度が所定の範囲となるように設定される。
【００３２】
Ｒ６、Ｒ７及びＲ８はそれぞれ水素原子又は炭素数１〜８の炭化水素基を示し、それらは同一でも異なっていてもよく、Ｒ９は炭素数１〜１０の二価の炭化水素基、Ｒ１０は炭素数１〜２０の炭化水素基、ｎはその平均値が０〜１０の数を示し、Ｒ６〜Ｒ１０は構成単位毎に同一であってもそれぞれ異なっていてもよく、またＲ９Ｏが複数ある場合には、複数のＲ９Ｏは同一でも異なっていてもよい。
【００３３】
具体的なポリエーテルとしては、ポリアルキレングリコールあるいはその誘導体、ポリビニールエーテル等が挙げられ、両末端がアルキル基であるポリアルキレングリコール誘導体またはポリビニールエーテルが好ましい。
【００３４】
〔冷媒〕
本発明に使用される冷媒としては、炭素数１〜５（好ましくは２〜４）の低分子量の炭化水素化合物、具体的には、メタン、エタン、プロパン、ｎ−ブタン、イソブタン、ｎ−ペンタン、イソペンタン、ネオペンタンなどのアルカン化合物、及びシクロプロパン、シクロブタン、シクロペンタンなどのシクロパラフィン化合物等、さらには、一部の炭素間結合が二重結合である前記化合物の誘導体（前記化合物に対応するオレフィン）も用いることができる。また、冷媒として、これらの化合物は単独で用いることも、２種以上を適宜組み合わせて用いることもできる。これらのうちで、プロパン又はイソブタンが特に好ましい。
【００３５】
〔冷凍機システム〕
本発明の冷凍機システムは、炭素数１〜５の炭化水素を含む冷媒と冷凍機油を含む作動流体が、冷凍機システム内部で有機高分子材料と接触する冷凍機システムであって、前記冷凍機油が、鉱油８５〜９９重量％と、分子内に２個以上の酸素原子を含む有機化合物からなる合成油１〜１５重量％とを含むことを特徴とする。本発明の冷凍機システムは、例えば、圧縮機、凝縮器、膨張機構（例えば、膨張弁）、蒸発器を含み、冷媒と冷凍機油を含む作動流体がこの系内を循環している。圧縮機は、それを駆動する電動モータと同じハウジングに収められており、作動流体により、電動モータが潤滑、冷却されている場合に好ましく用いられる。作動流体は、冷媒と冷凍機油を10：90〜90：10、特には20：80〜80：20の重量割合で混合されていることが好ましい。
【００３６】
電動モータには、電気的絶縁のために、有機高分子材料が用いられており、有機高分子材料としては、ポリエチレンテレフタレート、ポリブチレンテレフタレート、ポリエチレンナフタレート、ポリフェニルサルファイド、ポリカプロラクタム（ナイロン６）、ポリヘキサメチレンアジアミド（ナイロン６６）などを用いた場合に、特には、ポリエチレンテレフタレート、ポリブチレンテレフタレートを用いた場合に、本発明の効果は顕著となる。なお、電動モータ以外に、このような有機高分子材料が用いられている場合にも本発明は適応しうる。
【００３７】
〔他の添加剤〕
本発明の冷凍機油には、必要に応じて他の添加剤を適宜配合してもよい。該添加剤としては、２,６−ジ−ターシャリーブチルフェノール、２,６−ジ−ターシャリーブチル−ｐ−クレゾール、４,４−メチレン−ビス−（２，６−ジ−ターシャリーブチル−ｐ−クレゾール）、ｐ,ｐ’−ジ−オクチル−ジ−フェニルアミンなどのフェノール系又はアミン系の酸化防止剤、フェニルグリシジルエーテル、アルキルグリシジルエーテル、フェニルグリシジルエステル、アルキルグリシジルエステルなどの安定剤、トリクレジルホスフェート、トリフェニルホスフェートなどの極圧剤、グリセリンモノオレート、グリセリンモノオレイルエーテル、グリセリンモノラウリルエーテルなどの油性剤、ベンゾトリアゾールなどの金属不活性化剤、ポリジメチルシロキサン、ポリメタクリアクリレートなどの消泡剤又は制泡剤などが挙げられる。
【００３８】
その他、周知の清浄分散剤、粘度指数向上剤、防錆剤、腐食防止剤、流動点降下剤などの添加剤も必要に応じて配合することができる。これらの添加剤は、通常本発明の潤滑剤に１０重量ｐｐｍ〜１０重量％程度含有されるように配合される。特に、フェノール系又はアミン系の酸化防止剤は、０.０１〜０.５重量％程度添加することにより、潤滑剤の安定性、耐久性を大幅に改善する。また、トリクレジルホスフェート、トリフェニルホスフェートなどのリン酸エステルは極圧剤として有用であり、少量の添加（例えば、０.０５〜２.０重量％）で焼付荷重、耐摩耗などの潤滑特性を効果的に向上する。
【実施例】
【００３９】
以下に、実施例を示し、本発明をさらに詳しく説明するが、本発明はこれらの具体的な例示に制限されるものではない。
【００４０】
基油として、表１に示した性状を有するパラフィン系鉱油１、２、ナフテン系鉱油およびエステル油を使用した。エステル油は、ネオペンチルグリコール８０重量％とペンタエリスリトール２０重量％の混合ポリオールと２−メチルヘキサン酸とから合成されたエステルである。
【００４１】
【表１】
2007254713.tif 000005
【００４２】
これらの基油を表２、３に示す配合量で配合して実施例１〜５、比較例１〜５となる供試油１〜１０を調製した。
【００４３】
【表２】
2007254713.tif 000006
【００４４】
【表３】
2007254713.tif 000007
【００４５】
〔オリゴマー析出性試験〕
１００ｍL容量のボンベに、供試油３０ｇ、炭化水素冷媒（イソブタン、R600a）１０ｇとPET（ポリエチレンテレフタレート）フィルム１ｇを入れ、オートクレーブを用い、１５０℃で１４日間放置した。その後、供試油と炭化水素冷媒を０.８μｍミリポアフィルターでろ過し、重量増加により析出量を測定した。その結果を、析出物量として表２、３に示した。
【００４６】
供試油６〜１０はオリゴマーの析出量が１０ｍｇ以上である。しかし、供試油１〜５では１０ｍｇ未満であり、PETからオリゴマーが析出されにくくなっていることがわかる。
【００４７】
〔キャピラリー詰り試験〕
冷蔵庫用コンプレッサーに表２、３の供試油２，３，６，７を冷凍機油として２２０ml入れ、冷媒として炭化水素冷媒（イソブタン、R600a）３０gを使用した。この冷蔵庫用コンプレッサーの吐出側に凝縮機、吸入側に蒸発機をそれぞれ接続し、凝縮機と蒸発機の間にキャピラリーを接続し、評価用の冷凍システムを構成した。冷蔵庫用コンプレッサーは、内部にレシプロ型コンプレッサーとそれを駆動する電動モータを備えており、電動モータの絶縁のためにポリエチレンテレフタレートが用いられている。冷凍機油と冷媒からなる作動流体は、冷却のために電動モータに直接接触している。この冷蔵庫用コンプレッサーを吐出圧力５〜６kg／cm2・G、吸入圧力０kg／cm2・Gの条件で、５００時間連続運転を行った。その結果、キャピラリー詰りが発生したか否かを評価し、表２、３に併せて示した。
【００４８】
供試油６，７はキャピラリー詰りが少量発生した。しかし、供試油２，３でキャピラリー詰りは発生しなかった。
【産業上の利用可能性】
【００４９】
本発明の炭化水素冷媒用冷凍機油は、鉱油に特定の有機化合物を所定量含有させることでオリゴマーの発生を抑制できるため、オリゴマーによるキャピラリーの詰まりや、弁の開閉不良の発生を効果的に防止でき、冷凍システムの長期間の安定な運転に非常に有用である。